(57)【要約】      （修正有）【課題】画像検索機能を備えたサービス情報プラットフォーム装置を提供する。【解決手段】画像検索機能を備えたサービス情報プラットフォーム装置１Ｂは、少なくとも一つの撮影装置１２Ａ、１２Ｂ、少なくとも一つの使用者端末装置１４Ａ〜１４Ｃ、及びサーバー装置１６を包含する。該撮影装置は物品及び該物品の商品ラベル２０Ａを撮影して画像ファイルを形成し、該使用者端末装置は該サーバー装置に接続されて該画像ファイルを該サーバー装置に伝送し、該サーバー装置は該画像ファイルを受信した後にプロセッサを使用して解析結果を生成する。さらに、該解析結果に基づきインターネット或いはサーバー装置内の分類サービスデータベースで該画像ファイルと関係する少なくとも一つのサービス情報を検索し、且つ該サービス情報を該使用者端末装置に伝送し、これにより使用者はインターネット或いは情報提供業者から該分類サービスデータベースにアップロードした情報よりサービス情報を入手できる。【選択図】図４
0003177601.tif 000002
【実用新案登録請求の範囲】
【請求項１】
画像検索機能を備えたサービス情報プラットフォーム装置において、
物品を撮影して画像ファイルを生成する少なくとも一つの撮影装置と、
該撮影装置に接続された少なくとも一つの使用者端末装置と、
該使用者端末装置に接続され、該画像ファイルを受信してプロセッサを使用して解析結果を生成し、該解析結果で該画像ファイルに関係する少なくとも一つのサービス情報を検索し、且つ該サービス情報を該使用者端末装置に伝送するサーバー装置と、
を包含することを特徴とする、画像検索機能を備えたサービス情報プラットフォーム装置。
【請求項２】
請求項１記載の画像検索機能を備えたサービス情報プラットフォーム装置において、該撮影装置が該使用者端末装置に設置されたことを特徴とする、画像検索機能を備えたサービス情報プラットフォーム装置。
【請求項３】
請求項１記載の画像検索機能を備えたサービス情報プラットフォーム装置において、該撮影装置が該物品の商品ラベルを撮影することを特徴とする、画像検索機能を備えたサービス情報プラットフォーム装置。
【請求項４】
請求項３記載の画像検索機能を備えたサービス情報プラットフォーム装置において、該商品ラベルは文字商標、図形商標、図形と文字の混合商標、立体商標、バーコード或いは二次元バーコードのいずれかとされることを特徴とする、画像検索機能を備えたサービス情報プラットフォーム装置。
【請求項５】
請求項１記載の画像検索機能を備えたサービス情報プラットフォーム装置において、該使用者端末装置はハンドヘルド式モバイル端末、タブレットコンピュータ、ノートブック型コンピュータ、或いはデスクトップ型コンピュータのいずれかとされることを特徴とする、画像検索機能を備えたサービス情報プラットフォーム装置。
【請求項６】
請求項１記載の画像検索機能を備えたサービス情報プラットフォーム装置において、該解析結果が特徴識別コードとされることを特徴とする、画像検索機能を備えたサービス情報プラットフォーム装置。
【請求項７】
請求項１記載の画像検索機能を備えたサービス情報プラットフォーム装置において、該サーバー装置に少なくとも一つの分類サービスデータベースが設置されることを特徴とする、画像検索機能を備えたサービス情報プラットフォーム装置。
【請求項８】
請求項７記載の画像検索機能を備えたサービス情報プラットフォーム装置において、該分類サービスデータベースは該サーバー装置に接続された少なくとも一つのメーカー端末装置により構築されることを特徴とする、画像検索機能を備えたサービス情報プラットフォーム装置。
【請求項９】
請求項８記載の画像検索機能を備えたサービス情報プラットフォーム装置において、該メーカー端末装置は保存装置に接続され、該サーバー装置が該保存装置にアクセス可能であることを特徴とする、画像検索機能を備えたサービス情報プラットフォーム装置。
【請求項１０】
請求項７記載の画像検索機能を備えたサービス情報プラットフォーム装置において、該分類サービスデータベースは商品データベース、予告編データベース、店舗データベース、販売データベース、広告データベース、図書情報データベース、或いは優待データベースとされることを特徴とする、画像検索機能を備えたサービス情報プラットフォーム装置。
【請求項１１】
請求項７記載の画像検索機能を備えたサービス情報プラットフォーム装置において、該サーバー装置は該使用者端末装置より受信した画像ファイルより生成した解析結果、地理情報或いは入力情報に基づき、これら分類サービスデータベースにおいて検索を行うことを特徴とする、画像検索機能を備えたサービス情報プラットフォーム装置。
【請求項１２】
請求項７記載の画像検索機能を備えたサービス情報プラットフォーム装置において、該サーバー装置は該使用者端末装置より受信した画像ファイルより生成した解析結果、地理情報或いは入力情報に基づき、類別メッセージが指定する分類サービスデータベースにおいて検索を行うことを特徴とする、画像検索機能を備えたサービス情報プラットフォーム装置。
【考案の詳細な説明】
【技術分野】
【０００１】
本考案は検索プラットフォーム装置に係り、特に、撮影装置で撮影して生成した画像ファイルを使用者端末装置を介してサーバー装置に伝送し、並びに該画像ファイルの解析結果に基づき、インターネット或いはサーバー装置内に設置された分類サービスデータベースでサービス情報を検索する、画像検索機能を備えたサービス情報プラットフォーム装置に関する。
【背景技術】
【０００２】
テクノロジーの進歩に伴い、オンライン機能及びマルチメディア実行機能を備えたモバイル装置が絶え間なく開発され、さらに通信事業者も経常的にモバイル装置のインターネット通信費用を値下げすることで、モバイルネットワークは次第に普及し、モバイル装置を使ったモバイルネットワークサービスもまた急速に発展し、使用者がモバイル装置でネットワーク上の情報を収集することが盛んになり、各種メーカー、店舗などの情報提供業者もまた商機を得る場となっている。
【０００３】
また、現在のモバイル装置の多くは、撮影機能を有し、加えて検索エンジンの画像認識技術が次第に成熟していることから、リアルタイムで撮影した画像ファイルを使って検索する方式を、モバイルネットワークに結合し、使用者に迅速に必要な情報を提供することが出来る。
【０００４】
これにより、本考案は画像検索機能を備えたサービス情報プラットフォーム装置を提供し、それは、サーバー装置を提供し、使用者が所有する使用者端末装置と接続し、使用者が物品の関係情報を検索したい時に、撮影装置を利用して該物品の商品ラベル等を撮影して、画像ファイルを生成し、該画像ファイルを該使用者端末装置を介して該サーバー装置に伝送し、該サーバー装置がプロセッサを使用して該画像ファイルを解析して解析結果を生成し、並びに該解析結果に基づきインターネット或いは該サーバー装置内に設置された分類サービスデータベース中で検索を行ない、該画像ファイルに関係する少なくとも一つのサービス情報を見つけ出して該使用者端末装置に伝送する。
【０００５】
このほか、各種メーカー、店舗などの情報提供業者サイドから見ると、該サーバー装置内に設置される分類サービスデータベースはサービス情報公開のプラットフォームとし、情報提供業者は情報提供業者端末装置を該サーバー装置に接続し、該情報提供業者に関係する少なくとも一つのサービス情報を該サーバー装置にアップロード並びにアップロードした複数のサービス情報を、種類別に複数の分類サービスデータベース中に保存するか、或いは、情報提供業者が該サービス情報の保存装置を該サーバー装置に接続し、使用者が該サーバー装置を介して該保存装置にアクセスし、こうして情報提供業者情報を集中させ且つ情報提供業者が自由にサービス情報を分類及び公開できるプラットフォームを構築し、使用者が検索して該画像ファイルと関係するサービス情報を入手するのに供する。また法人のほか、個人も情報提供業者となって、ニュース、商品評論等、複数の情報を提供することが出来る。
【考案の概要】
【考案が解決しようとする課題】
【０００６】
本考案の主要な目的は、画像検索機能を備えたサービス情報プラットフォーム装置を提供し、使用者がサービス情報を検索する方式を簡易化し、使用者が使用者端末装置を利用して撮影装置で撮影した画像ファイルをサーバー装置に送ると、該サーバー装置がプロセッサを利用して該画像ファイルを解析し解析結果を生成して、少なくとも一つのサービス情報を検索し使用者に送れるようにすることにある。
【０００７】
本考案の次の目的は、画像検索機能を備えたサービス情報プラットフォーム装置を提供し、各情報提供業者のサービス情報を集中させ、使用者がこれらの情報提供業者の提供するサービス情報を検索できるようにし、情報提供業者が少なくとも一つのサービス情報を少なくとも一つの情報提供業者端末装置を通してサーバー装置にアップロードできるようにし、並びにこれらサービス情報を物品種類別により少なくとも一つの分類サービスデータベースに保存し、該サーバー装置が使用者端末装置よりアップロードされた画像ファイル、地理情報或いは入力情報に関係する少なくとも一つのサービス情報を検索するのに供することにある。
【課題を解決するための手段】
【０００８】
上述の目的を達成するため、本考案は一種の画像検索機能を備えたサービス情報プラットフォーム装置を提供し、それは、少なくとも一つの撮影装置、少なくとも一つの使用者端末装置及び一つのサーバー装置を包含する。該撮影装置は物品或いは該物品の文字商標、図形商標、図形と文字の混合商標、立体商標、バーコード或いは二次元バーコードの商品ラベルを撮影して画像ファイルを生成し、且つ該画像ファイルは該使用者端末装置となるハンドヘルド式モバイル端末、タブレットコンピュータ、ノートブック型コンピュータ、或いはデスクトップ型コンピュータ等を介して該サーバー装置にアップロードされ、該サーバー装置は該画像ファイルを受信した後、プロセッサを使用して解析結果を生成し、並びに該解析結果により検索し、該画像ファイルに関係する少なくとも一つのサービス情報を取得し、且つ該サービス情報を該使用者端末装置に送る。該解析結果は特徴識別コードとしてもよく、一方、該撮影装置で該画像ファイルを撮影するほか、該使用者端末装置はまた地理情報或いは入力情報を該サーバー装置に伝送することができ、これにより該サーバー装置に該地理情報或いは該入力情報に関係する少なくとも一つのサービス情報を検索する機能を持つ。
【０００９】
そのうち、該サーバー装置は少なくとも一つの情報提供業者端末装置に接続され、これら情報提供業者端末装置は該サーバー装置内において少なくとも一つの分類サービスデータベースを構築でき、並びに該サーバー装置にこれら分類サービスデータベースの分類によりアップロードされた少なくとも一つのサービス情報を保存させるか、或いは情報提供業者がこれらサービス情報を少なくとも一つの保存装置に保存して、これら情報提供業者端末装置を介して該サーバー装置に接続し、該サーバー装置に各サービス情報を集中させ、該使用者端末装置がアップロードした該画像ファイル、該地理情報或いは該入力データに関係する少なくとも一つのサービス情報を検索する機能を持つ。
【考案の効果】
【００１０】
本考案の画像検索機能を備えたサービス情報プラットフォーム装置の特色は、その具備するサーバー装置が、少なくとも一つの使用者端末装置より、少なくとも一つの撮影装置で撮影した画像ファイルを受信し、並びにプロセッサを使用して画像ファイルを解析して解析結果を生成し検索を実行する。これにより該画像ファイルに関係する少なくとも一つのサービス情報を取得し、且つ該サービス情報を該使用者端末装置に送り、こうして使用者のサービス情報検索を簡易化する。該サーバー装置は並びに、少なくとも一つの情報提供業者端末装置よりアップロードされた少なくとも一つのサービス情報を、物品種類別により少なくとも一つの分類サービスデータベースに保存し、各情報提供業者のサービス情報を集中管理し、使用者に提供する。こうして情報提供業者は本考案のサービス情報プラットフォーム装置を利用することで、そのサービス情報を自由に分類並びに公開でき、情報提供業者サービスへのサービスと情報提供業者の宣伝効果を達成する。使用者は本考案の画像検索機能を利用することで、物品を撮影する方法で該物品に関係する情報提供業者のサービス情報を簡単便利に検索、入手できる。
【図面の簡単な説明】
【００１１】
【図１】本考案の第１実施例の使用者ステップ図である。
【図２】本考案の第１実施例の装置接続関係表示図である。
【図３】本考案の第２実施例の使用者ステップ図である。
【図４】本考案の第２実施例の装置接続関係表示図である。
【考案を実施するための形態】
【００１２】
本考案の技術内容、構造特徴、達成する目的を詳細に説明するため、以下に実施例を挙げ並びに図面を組み合わせて説明する。
【００１３】
図１及び図２を参照されたい。これは、本考案の第１実施例の使用者ステップ図と装置接続関係表示図である。図１に示されるように、本考案の画像検索機能を備えたサービス情報プラットフォーム装置は、その使用者の画像撮影とサービス情報検索のステップは以下のとおりである。
【００１４】
ＳＴ１１：使用者が撮影装置で物品或いは該物品の商品ラベルを撮影し、画像ファイルを生成する。
ＳＴ１２：使用者が使用者端末装置を使用してサーバー装置に接続し、該使用者端末装置を介して該画像ファイルを該サーバー装置に伝送する。
ＳＴ１３：該サーバー装置が該画像ファイルを受信しプロセッサで該画像ファイルを解析して解析結果を生成し、インターネットで該画像ファイルに関係する少なくとも一つのサービス情報を検索する。
ＳＴ１４：該サーバー装置が該サービス情報の検索結果を該使用者端末装置に送る。
【００１５】
図２に示されるように、本考案の画像検索機能を備えたサービス情報プラットフォーム装置１Ａは、複数の使用者１０Ａ〜１０Ｃに提供され得て、複数の使用者端末装置１４Ａ〜１４Ｃがプロセッサ１６４を包含するサーバー装置１６に接続される。該サーバー１６はインターネット１６０に接続される。そのうち、該使用者端末装置１４Ａ、１４Ｂは、それぞれ撮影装置１２Ａ、１２Ｂに接続されている。
【００１６】
本実施例では、第１の使用者端末装置１４Ａは携帯電話１４Ａとし、該第１の撮影装置１２Ａは、携帯電話内蔵のカメラ１２Ａとし、この携帯電話内蔵のカメラ１２Ａで撮影された第１の物品２Ａは商品２Ａとし、該商品２Ａは商品ラベル２０Ａを備えている。該第２の撮影装置１２Ｂはデジタルカメラ１２Ｂとされ、第２の使用者端末装置１４Ｂはデスクトップ型コンピュータ１４Ｂとされ、該デジタルカメラ１２Ｂは該デスクトップ型コンピュータ１４Ｂと接続され、該デジタルカメラ１２Ｂが撮影した第２の物品２Ｂはポスター２Ｂとされる。第３の使用者端末装置１４Ｃはパームトップ型コンピュータとされる。本実施例で説明した携帯電話、デスクトップ型コンピュータ、パームトップ型コンピュータ以外に、本考案で使用される端末装置にはその他にハンドヘルド式モバイル端末、タブレットコンピュータ或いはノートブック型コンピュータ等の装置を含む。
【００１７】
図２の装置に図１ステップを組み合わせて説明する。第１の使用者１０Ａは携帯電話内蔵のカメラ１２Ａで商品２Ａの商品ラベル２０Ａを撮影し、第１の画像ファイルＭ１を生成し、該携帯電話１４Ａをサーバー装置１６に接続し並びに第１の画像ファイルＭ１を該サーバー装置１６に伝送する。該サーバー装置１６はプロセッサ１６４で該画像ファイルＭ１を解析して第１の解析結果Ｑ１を生成し、並びに該第１の解析結果Ｑ１でインターネット１６０上で該商品２Ａに関係するオークション情報Ｓ１を検索し、且つ該オークション情報Ｓ１を該携帯電話１４Ａに送り、該第１の使用者１０Ａに該オークション情報Ｓ１を入手させる。中でも、該第一解析結果Q1は特徴識別コードとしてもよく、該商品ラベル２０Aの文字商標、図形商標、図形と文字の混合商標、立体商標、バーコード或いは二次元バーコード撮影は該商品２Aの解析精度を向上させ検索ならびに必要な資料取得の助けとする。
【００１８】
第２の使用者１０Ｂはデジタルカメラ１２Ｂでポスター２Ｂを撮影し、第２の画像ファイルＭ２を生成し、該デジタルカメラ１２Ｂをデスクトップ型コンピュータ１４Ｂに接続し、該デスクトップ型コンピュータ１４Ｂを該サーバー装置１６に接続し、並びに該第２の画像ファイルＭ２を該サーバー装置１６に伝送する。該サーバー装置１６はプロセッサ１６４で該画像ファイルＭ２を解析して第２の解析結果Ｑ２を生成し、並びに該第２の解析結果Ｑ２でインターネット１６０上で該ポスター２Ｂに関係する上映情報Ｓ２を検索し、且つ該上映情報Ｓ２を該デスクトップ型コンピュータ１４Ｂに送り、該第２の使用者１０Ｂに該上映情報Ｓ２を入手させる。
【００１９】
第３の使用者１０Ｃは撮影装置を有しておらず、パームトップ型コンピュータ１４Ｃを該サーバー装置１６に接続し、並びに該パームトップ型コンピュータ１４Ｃの所在の地理情報Ｇ１と入力情報Ｍ３を該サーバー装置１６に伝送し、該サーバー装置１６は地理情報Ｇ１と入力情報Ｍ３によりインターネット１６０上で検索を行ない、推薦ショップ情報Ｓ３を入手する。
【００２０】
該サーバー装置１６は少なくとも一つの使用者端末装置１４Ａ〜１４Ｃより画像ファイルＭ１〜Ｍ２、地理情報Ｇ１或いは入力情報Ｍ３を受信し、並びに該画像ファイルＭ１〜Ｍ２をプロセッサ１６４で解析して得た解析結果Ｑ１〜Ｑ２、地理情報Ｇ１或いは入力情報Ｍ３により、インターネット１６０で該画像ファイルＭ１〜Ｍ２、該地理情報Ｇ１或いは該入力情報Ｍ３に関係する少なくとも一つのサービス情報Ｓ１〜Ｓ３を検索し、且つ該使用者端末装置１４Ａ〜１４Ｃに送る。ゆえに、使用者は本考案の画像検索機能を利用することで、物品を撮影する方法で該物品に関係するメーカーのサービス情報を簡単便利に検索、入手できる。
【００２１】
図３及び図４は本考案の第２実施例の情報提供業者のステップ図及び装置の接続関係表示図である。図３に示されるように、本考案の画像検索機能を備えたサービス情報プラットフォーム装置は、その情報提供業者の分類サービスデータベース構築ステップは以下のとおりである。
【００２２】
ＳＴ２１：少なくとも一つの情報提供業者端末装置がサーバー装置に接続される。
ＳＴ２２：該情報提供業者端末装置が新規構築信号を該サーバー装置に伝送し、該サーバー装置が少なくとも一つの分類サービスデータベースを新規構築するか、或いは該サーバー装置内の少なくとも一つの分類サービスデータベースを選択する。
ＳＴ２３：該情報提供業者端末装置が該サーバー装置に少なくとも一つのサービス情報をアップロードし、該サーバー装置に、これらサービス情報を物品種類別に該分類サービスデータベースに保存させるか、該サーバー装置に、該情報提供業者端末装置を介してこれらサービス情報を保存した保存装置に接続させる。
【００２３】
図４に示されるように、本考案の画像検索機能を備えたサービス情報プラットフォーム装置１Ｂは、サーバー装置１６を提供し、第１実施例と同じく、複数の使用者１０Ａ〜１０Ｃが複数の使用者端末装置１４Ａ〜１４Ｃを通して、該プロセッサ１６４を備えた該サーバー装置１６に接続され、且つこれら使用者端末装置１４Ａ〜１４Ｃは複数の撮影装置１２Ａ〜１２Ｂと接続される。本実施例の第１実施例との違いは、該サーバー装置１６が複数の分類サービスデータベース１６２Ａ〜１６２Ｇと複数のサービス情報Ｓ４〜Ｓ９を保存することにある。
【００２４】
そのうち、該第１の使用者端末装置１４Ａは携帯電話１４Ａとされ、第２の使用者端末装置１４Ｂはデスクトップ型コンピュータ１４Ｂとされ、第３の使用者端末装置１４Ｃはパームトップ型コンピュータ１４Ｃとされる。該第１の撮影装置１２Ａは携帯電話内蔵のカメラ１２Ａとされ、該第２の撮影装置１２Ｂはデジタルカメラとされる。これらの分類サービスデータベース１６２Ａ〜１６２Ｅは、予め該サーバー装置１６に保存され、且つ商品データベース１６２Ａ、予告編データベース１６２Ｃ、店舗データベース１６２Ｃ、販売データベース１６２Ｄ及び広告データベース１６２Ｅとされる。二つの分類サービスデータベース１６２Ｆ及び１６２Ｇは第１の新規構築信号Ｎ１及び第２の新規構築信号Ｎ２に基づき新規構築され、並びにそれぞれ図書データベース１６２Ｆ及び優待データベース１６２Ｇとされる。これら情報提供業者端末装置１８Ａ〜１８Ｅはそれぞれ商品情報提供業者の端末装置１８Ａ、該商品２Ａを販売する販売者の端末装置１８Ｂ、映画会社の端末装置１８Ｃ、クレジットカード発行銀行の端末装置１８Ｄ、及び飲食店等の端末装置１８Ｅとされる。該第１の物品２Ａは商品２Ａとされ、第２の物品２Ｂはポスター２Ｂとされる。これらサービス情報Ｓ４〜Ｓ９はそれぞれ商品情報Ｓ４、販売情報Ｓ５、映画予告編Ｓ６、クレジットカード優待情報Ｓ７、店舗情報Ｓ８及び原作情報Ｓ９とされる。
【００２５】
図４の装置に図３のステップを組合せ、第３の情報提供業者端末装置１８Ｃを例とすると、以下のようである。第３の情報提供業者端末装置１８Ｃは映画会社の端末装置１８Ｃとされ、該映画会社の端末装置１８Ｃは該サーバー装置１６に接続され並びに該サーバー装置１６に第１の新規構築信号Ｎ１を伝送し、該図書データベース１６２Ｆを構築し、並びに予告編データベース１６２Ｂを選択し、該映画会社の端末装置１８Ｃが映画予告編Ｓ６を該予告編データベース１６２Ｂにアップロード並びに保存し、且つ原作情報Ｓ９を該図書データベース１６２Ｆにアップロード並びに保存する。
【００２６】
該映画会社の端末装置１８Ｃに類似し、該商品情報提供業者の端末装置１８Ａは商品情報Ｓ４を該商品データベース１６２Ａにアップロードし、該販売者の端末装置１８Ｂは販売情報Ｓ５を該販売データベース１６２Ｄにアップロードし、該クレジットカード発行銀行の端末装置１８Ｄは、第２の新規構築信号Ｎ２を伝送して優待データベース１６２Ｇを新規構築し、並びにクレジットカード優待情報Ｓ７を該優待データベース１６２Ｇにアップロードし、該飲食店等の端末装置１８Ｅは、店舗情報Ｓ８を保存した保存装置１８０Ｅに接続され、該店舗データベース１６２Ｃを該保存装置１８０Ｅにアクセス可能とし、ゆえに、これら情報提供業者端末装置１８Ａ〜１８Ｅを使用してサービス情報Ｓ４〜Ｓ９を該サーバー装置１６にアップロードするか接続する情報提供業者にとっては、該サーバー装置１６はこれらサービス情報Ｓ４〜Ｓ９を公開並びに分類するプラットフォームとなる。
【００２７】
本実施例中、該第１の使用者１０Ａは携帯電話内蔵のカメラ１２Ａで商品２Ａの商品ラベル２０Ａを撮影し、第１の画像ファイルＭ１を生成し、該携帯電話１４Ａをサーバー装置１６に接続し並びに第１の画像ファイルＭ１を該サーバー装置１６に伝送する。該サーバー装置１６はプロセッサ１６４で該画像ファイルＭ１を解析して第１の解析結果Ｑ１を生成し、並びに該第１の解析結果Ｑ１でこれら分類サービスデータベース１６２Ａ〜１６２Ｇ中で検索を行ない、商品データベース１６２Ａより該第１の画像ファイルＭ１に関係する商品情報Ｓ４を得て、並びに販売データベース１６２Ｄより該第１の画像ファイルＭ１に関係する販売情報Ｓ５を得る。該商品情報Ｓ４と該販売情報Ｓ５は、該サーバー装置１６より該携帯電話１４Ａに伝送され、該第１の使用者１０Ａに該商品情報Ｓ４と該販売情報Ｓ５を入手させる。
前述のように、該第一解析結果Q1は特徴識別コードとしてもよく、該商品ラベル２０Aの文字商標、図形商標、図形と文字の混合商標、立体商標、バーコード或いは二次元バーコード撮影は該商品２Aの解析精度を向上させ検索ならびに必要な資料取得の助けとなる。
【００２８】
該第２の使用者１０Ｂはカメラ１２Ｂでポスター２Ｂを撮影し、第２の画像ファイルＭ２を生成し、該デジタルカメラ１２Ｂをデスクトップ型コンピュータ１４Ｂに接続し、該デスクトップ型コンピュータ１４Ｂを該サーバー装置１６に接続し、並びに該第２の画像ファイルＭ２を該サーバー装置１６に伝送する。該サーバー装置１６はプロセッサ１６４で該画像ファイルＭ２を解析して第２の解析結果Ｑ２を生成し、並びに該第２の解析結果Ｑ２でこれら分類サービスデータベース１６２Ａ〜１６２Ｇ中で検索を行ない、予告編データベース１６２Ｂより該第２の画像ファイルＭ２に関係する予告編Ｓ６を得て、並びに優待データベース１６２Ｇより該第２の画像ファイルＭ２に関係するクレジットカード優待情報Ｓ７を得て、且つ図書データベース１６２Ｆより該第２の画像ファイルＭ２に関係する原作情報Ｓ９を得る。該予告編Ｓ６、該クレジットカード優待情報Ｓ７及び該原作情報Ｓ９は、該サーバー装置１６より該デスクトップ型コンピュータ１４Ｂに送られ、該第２の使用者１０Ｂに該予告編Ｓ６、該クレジットカード優待情報Ｓ７、及び該原作情報Ｓ９を入手させる。
【００２９】
第３の使用者１０Ｃはパームトップ型コンピュータ１４Ｃで該サーバー装置１６にアクセスし、並びに該パームトップ型コンピュータ１４Ｃの所在の地理情報Ｇ１と入力情報Ｍ３及び類別メッセージＣ１を該サーバー装置１６に伝送し、該サーバー装置１６は該類別メッセージＣ１により該店舗データベース１６２Ｃを選択し、並びに該地理情報Ｇ１と該入力情報Ｍ３により該店舗データベース１６２Ｃにおいて検索し、及び該飲食店等の端末装置１８Ｅを介して該店舗データベース１６２Ｃに接続された保存装置１８０Ｅ中を検索し、該地理情報Ｇ１と該入力情報Ｍ３に関係する店舗情報Ｓ８を得て、該店舗情報Ｓ８は該サーバー装置１６より該パームトップ型コンピュータ１４Ｃに送られ、該第３の使用者１０Ｃに該店舗情報Ｓ８を入手させる。
【００３０】
ゆえに、情報提供業者端末装置１８Ａ〜１８Ｅは図３中の情報提供業者が、ステップ１からステップ３（ＳＴ２１〜ＳＴ２３）により、該サーバー装置１６において少なくとも一つの分類サービスデータベース１６２Ａ〜１６２Ｇを新規構築或いは選択し、並びに少なくとも一つのサービス情報Ｓ４〜Ｓ９を該サーバー装置１６にアップロードし、且つこれらサービス情報Ｓ４〜Ｓ９を類別によりこれら分類サービスデータベース１６２Ａ〜１６２Ｇ中に保存し、使用者１０Ａ〜１０Ｃが該第１の画像ファイルＭ１、該第２の画像ファイルＭ２、該地理情報Ｇ１、或いは該入力情報Ｍ３により、これら情報提供業者端末装置１８Ａ〜１８Ｅがアップロードし或いはアクセスに供するサービス情報Ｓ４〜Ｓ９を検索し入手するのに供する。ゆえに、情報提供業者は、本考案のサービス情報プラットフォーム装置を利用して、自由にそのサービス情報を分類並びに公開して使用者の検索に供し、使用者へのサービス提供と情報提供業者自身の宣伝効果を達成できる。
【００３１】
総合すると、本考案は画像検索機能を備えたサービス情報プラットフォーム装置であって、情報提供業者は情報提供業者端末装置によりサービス情報を類別によりサーバー装置内の分類サービスデータベースにアップロードでき、該サーバー装置に各情報提供業者が提供するサービス情報を集中させ、情報提供業者に宣伝をさせるか或いは使用者にサービスを提供する。使用者は使用者端末装置により該サーバー装置にアクセスし、画像ファイル、地理情報或いは入力情報をアップロードする方式で、インターネット或いはサーバー装置内に設置された少なくとも一つの分類サービスデータベースで検索を行え、該画像ファイル、地理情報或いは入力情報に関係するサービス情報を入手できる。使用者自身もまた情報提供業者の権限を取得でき、ニュース、商品評論など複数のサービス情報をアップロードできる。
【００３２】
本考案は新規性、進歩性及び産業上の利用価値を有する考案であって、実用新案登録の要件を具備し、ここに実用新案登録出願を行う次第です。
【００３３】
以上述べたことは、本考案の実施例にすぎず、本考案の実施の範囲を限定するものではなく、本考案の実用新案登録請求の範囲に基づきなし得る同等の変化と修飾は、いずれも本考案の実用新案登録請求範囲のカバーする範囲内に属するものとする。
【符号の説明】
【００３４】
１Ａ  画像検索機能を備えたサービス情報プラットフォーム装置(第一実施例)
１Ｂ  画像検索機能を備えたサービス情報プラットフォーム装置(第二実施例)
１０Ａ      第１の使用者
１０Ｂ      第２の使用者
１０Ｃ      第３の使用者
１２Ａ      第１の撮影装置(携帯電話内蔵カメラ)
１２Ｂ      第２の撮影装置(デジタルカメラ)
１４Ａ      第１の使用者端末装置(携帯電話)
１４Ｂ      第２の使用者端末装置(デスクトップ型コンピュータ)
１４Ｃ      第３の使用者端末装置(パームトップ型コンピュータ)
１６        サーバー装置
１６０      インターネット
１６２Ａ    第１の分類サービスデータベース（商品データベース）
１６２Ｂ    第２の分類サービスデータベース（予告編データベース）
１６２Ｃ    第３の分類サービスデータベース（店舗データベース）
１６２Ｄ    第４の分類サービスデータベース（販売データベース）
１６２Ｅ    第５の分類サービスデータベース（広告データベース）
１６２Ｆ    第６の分類サービスデータベース（図書データベース）
１６２Ｇ    第７の分類サービスデータベース（優待データベース）
１６４      プロセッサ
１８Ａ      第１の情報提供業者端末装置（商品メーカー）
１８Ｂ      第２の情報提供業者端末装置（販売者）
１８Ｃ      第３の情報提供業者端末装置（映画会社）
１８Ｄ      第４の情報提供業者端末装置（クレジットカード発行銀行）
１８Ｅ      第５の情報提供業者端末装置（飲食店等）
１８０Ｅ    保存装置
２Ａ        第１の物品（商品）
２０Ａ      商品ラベル
２Ｂ      第２の物品（ポスター）
Ｃ１      類別メッセージ
Ｇ１      地理情報Ｇ１
Ｍ１    第１の画像ファイル
Ｍ２    第２の画像ファイル
Ｍ３    入力情報
Ｎ１      第１の新規構築信号
Ｎ２      第２の新規構築信号
Ｑ１    第１の解析結果
Ｑ２    第２の解析結果
Ｓ１    第１のサービス情報（オークション情報）
Ｓ２    第２のサービス情報（上映情報）
Ｓ３    第３のサービス情報（推薦ショップ情報）
Ｓ４    第４のサービス情報（商品情報）
Ｓ５    第５のサービス情報（販売情報）
Ｓ６    第６のサービス情報（予告編）
Ｓ７    第７のサービス情報（クレジットカード優待情報）
Ｓ８    第８のサービス情報（店舗情報）
Ｓ９    第９のサービス情報（原作情報）
ＳＴ１１  使用者ステップ１
ＳＴ１２  使用者ステップ２
ＳＴ１３  使用者ステップ３
ＳＴ１４  使用者ステップ４
ＳＴ２１  情報提供業者ステップ１
ＳＴ２２  情報提供業者ステップ２
ＳＴ２３  情報提供業者ステップ３
【図１】
0003177601.tif 000003
【図２】
0003177601.tif 000004
【図３】
0003177601.tif 000005
【図４】
0003177601.tif 000006